(57)【要約】　　　（修正有）【課題】手動の簡単な機械で製造できて、多人数の食卓にも、大根おろしをひんぱんに、皆んなが、食べられるようにすること。【解決手段】大根を手でつかみ、前後に、押しながら、こすっていた方向を、串で大根をとらえ、他に、側板と大根の間に、板バネと押さえゴムの付いた物を３方向から当てて、大根を保持し、ハンドルの回転力と押さえ力により、刃の上で、円筒ケース内で、大根を押さえ、回転させる。おろしの作り方を、徐々に、覚えて行き、簡単な、単純な取り扱いで、安全に、つまり、透明円筒ケース内での作業により、大根おろしを作る機械である。また、希望の味を作る為、刃は、細、並、荒の３種類が、用意してある。大根おろしは、ケースの下部の巾１５ｍｍ穴から、ボトル底部にたまり、４００ｍｌ、５００ｍｌごとに、逆さにひっくり返して、皿に取り出せばよい。【選択図】図１
2004121799.tif 000002
【特許請求の範囲】
【請求項１】
大根を、ステンレス串で固定し、押さえつけ方向の力を与えながら、ハンドルにより好みの刃の上で、回転させ、大根おろしを作る機構であり、手でつかんで前後方向にこすっていた方向を回転方法に変更することにより、倍以上の速さで、製造し、及び、継続的に、軽作業により製造できることから、多量製造が、簡単に、単純に、出来る大根おろし製造機である。
【請求項２】
全体をプラスチック等の軽比重材で作り、全体で重量約５ｋｇくらいにし、小型ポータブル製品で、使用後は、水洗いして、置いたまま、乾かしておくだけで、２、３日後、すぐまた使えるような大根おろし製造機。又、大根おろしは、作りすぎ分は、冷蔵庫で、保管できる。
【請求項３】
主婦・子供が使っても、安全に、衛生的に、簡単に、扱えるように、ボトルを透明プラスチックにする事により、常に、外部から、中の大根おろしのできていく具合いを監視できるし、大根の出し入れは、上部、フタ側を持ち上げて行う。大根は、中の内径φ１４０の透明円筒の中で行い、φ１４０透明円筒の巾１５穴から、大根おろしは底部ボトルに、貯められるようになっている大根おろし製造機。
【請求項４】
作業は、ワンタッチ取替えで、刃、大根、その他を取り替えができ、継続的に、多量製造ができ、又、側面１ヶ所に取り付けた、工作機の様な、ボルト付刃物で、大根の表面の皮をムイていく様にできる大根おろし製造機。又、大根の保持は、串以外、２種類の、板バネの先に、押さえゴムのついた各３本、計６本の、押さえゴムを適性な使用分３本のみを保持器から、引き出して、大根をセットするようにしていく大根おろし製造機である。
【発明の詳細な説明】
【０００１】
【発明の属する技術分野】
本発明は、家庭用小型ポータブルのアイス・スライス（手動式）、と同じで、家庭台所での、実用品としての、必需機具となるわけである。
【０００２】
【従来の技術】
大根の回転にモーターを使用したり、出来上がった大根おろしをコンベアで取り出すなど、重量製品であって一般主婦が使用した場合、電気と水の関連、大根材料の飛び出し等の問題等、危険であった。
【０００３】
電気的、機械的に、安全性が受け入れられるような、大家族等の為の、多量製造機は発売されなかった。
又、普通は、大根を、前後押しもどし式に、力を入れて、すっていたため、多量には、大根おろしは、作れなかった。
【０００４】
【発明が解決しようとする課題】
大根おろしを多量に製造する為に、大根を固定しながら、円筒の中で、ハンドルにより回転させながら、同時に、刃に向かって押さえることにより、軽作業で、継続的に、大根おろしを製造する。
【０００５】
この時、大根に、回転力と、刃に向かって押しつける力をハンドルから、機械的に、無理なく与えるように、ステンレス軸パイプの口径、肉厚、取付部、及び、回転支点になる、上ブタ中の軸パイプ、上下方向力、取次ぎ支点の接触面の長期間、摩擦力の変化なきことを維持できるように、回転支点、＆取次ぎ支点を長さ、径、及び接触摩擦力の実測にもとずく、軸パイプの径との許容公差の実測をへて、設計するわけである。
【０００６】
大根保持器には、径　２．０ｍｍくらい、長さ８ｍｍくらいのプラスチック串が８ｍｍ間隔くらいで、多数あり、それで、大根をつかみ、刃に向かって押す力と合わせて、大根を保持し、あくまで、円筒の中で回転さすのであるが、大根保持器の下のワッパの役割を考えた側板は、あらかじめ大根の径を分類して、３種類くらいの大根すなわち、径φ１１０〜１１５　、径φ６５〜７５、の２種類の径の大根に対し、それぞれ内径φ１１７の側板とのすき間をうめる、板バネと先端に押さえゴムのついた３方向押しつけゴムを３種類用意し、側板ワッパを、３０ｍｍくらいの長い物としておいて、上の板バネ押さえゴムを適性品１種類を使用大根にあてて、大根を保持する、大根保持器は充分、大根をつかんでおく機能をはたせる。
【０００７】
大根おろしがおいしくなり大根の回転をうけとめ、消費者の好みの大根おろしを作れるように、刃には、裏側に、容器との固定及びワンタッチ取り付けのできる穴出部をつけてある。又、刃は、細、並、荒の３種類作っておく。
【０００８】
又、大根おろしを多量に作る為、ハンドルを回す作業が、女性や、年寄り、子供でも、長時間、力が要らず、疲れず、（５ｋｇ・ｆ／ｃｍ２・ｓぐらい）、かつ安全で、衛生的に、簡単に、単純に、大根おろしの出し入れができなければならない。
【０００９】
【課題を解決する為の手段】
上記目的を達成するために、本発明物件は、全体が、軽重量のプラスチックで組立てることとし、全重量は５ｋｇ程度である。又、ハンドルは押しつける力と、回転力の両方を伝えねばならないから、薄肉ステンレス・シームレス・パイプとなる回転及び上下力取次ぎ支点は、実験作業により、径及び長さ及び軸との公差は実測に安全率１．５倍をかけたものとなる。
【００１０】
大根を刃に押しつける力は、ハンドルの型から、大根には、２次的に、利用者の体重がかかっていき、気をつけないと、人によれば、２０ｋｇ・ｆ／ｃｍ２・ｓ，４０ｋｇ・ｆ／ｃｍ２・ｓと、２０ｋｇ単位で、力がかかりすぎることも考えられ、容器や部品には、ガラス品は、使っていない。
【００１１】
大根を回転方向に、力を加えながら、刃物と、こすり合わせることにより、大根おろしの製造速度は、倍になる。
【００１２】
刃は、大根おろしの味の種類により、細い目、並、荒い目の３種類を用意する。
【００１３】
大根おろしのボトル底部は、直径φ１６ｃｍ、高さ７ｃｍＨくらいとし、容量は、極限としては、約１．２ｌくらい、入るわけだが、使用上は１／３の４００ｍｌごとに、大根おろしを取り出すのが、使いやすい。
【００１４】
【発明の実施の形態】
発明の実施の形態について図面を参照して説明する。図１において、大根おろし製造機は、▲１▼、▲２▼の部分はハンドルであって、上下軸はステンレスパイプで外径φ２０ｍｍくらいを使い、接続部の表面はステンレス仕上げにするが、摩擦力の関係、外観の美しさの関係上、ステンレス軸の外側表面は、ミガキ加工にしたうえ、ミガキ加工の作業上の粉が残らないように、ミガキの目を充分、細くする。尚、上下の軸部以外の枝と取手は、肉厚のプラスチックである。
【００１５】
ハンドル軸▲２▼は上下方向に、大根の長さ、約１４ｃｍは、上下できる長さとする。
【００１６】
大根保持器▲３▼は、全部品を一部品として考案してある。これには、プラスチック串が８ｍｍ間隔に付いており、又、２種類の押しゴムで、３方向から、板バネの先に押さえゴムが付いている部品を、適性な１種類長さ０ｍｍ、４２〜５２ｍｍ、を選択し、大根をセットし、他は、使わないで、側板に折り曲げて、接触させて、しまい込んでおく。
【００１７】
図１の▲４▼円筒は、ボトル底部に接続され、大根おろしの刃を取付ける底部の近辺には、巾１５ｍｍ穴が多数、穴いており、この穴を通って、大根おろしは、円筒の中から、ボトル底部にたまる。又、円筒▲４▼には、大根の皮ムキ用のボルトの付いた刃物が付いており、大根の太さに応じて、ボルトを調節しておく。
【００１８】
【発明の効果】
本発明は、上述のとおり構成されているので、次に記載する効果を奏する。
【００１９】
請求項１の大根を円形回転のくり返し運動によって、大根おろしを作る方法に変えたため、大根の取付け、取りはずし、好みの刃のセットのみとなり、作業は、見える型の加工を小型の物で行うのであるから、女の子でも、簡単、単純に覚えて、多量製造への道がひらける。
【００２０】
請求項２に、示すように、全体の大半を、食品系向けの透明プラスチックで作るため、小型ポータブル製品化でき、仕組みを理解でき、使用後、水洗いだけで、簡単に、保管、再使用できる。
【００２１】
請求項３の様に、若い女の子も、安全、衛生的に、簡単、単純に、仕組みを思考し、使い方を覚えていける小型・軽量品である。
【００２２】
請求項４のボトル底部の仕組は、単純に、逆さ向ければ、ワンタッチで、大根おろしは、用意した、皿に流れる。又、大根おろしが、付近に飛ぶわけでもなく、衛生的な使用ができ、ハンドルに押す力を加える時、容器が透明プラスチックであるから、自然、取り扱いは、慎重で、ゆっくりしたものとなり、安全性も確保できる。使用方法を覚えるのは、簡単、単純な楽しめるものである。
【図面の簡単な説明】
【図１】ポータブル大根おろし製造機（家庭普及型）の斜め正面図
【図２】ボトル底部の略図
【図３】上部、回転及び上下力取次ぎ支点の略図
【図４】大根保持器
【図５】ハンドル
【符号の説明】
▲１▼ハンドル枝
▲２▼回転・上下軸
▲３▼大根保持器
▲４▼大根おろし作業ケース
▲５▼ボトル底部
▲６▼上部
▲７▼皮ムキボルト付刃物
▲８▼刃
▲９▼回転及び上下力取次ぎ支点
▲１０▼おろし刃台座
【図１】
2004121799.tif 000003
【図２】
2004121799.tif 000004
【図３】
2004121799.tif 000005
【図４】
2004121799.tif 000006
【図５】
2004121799.tif 000007